(57)【要約】【課題】同期獲得の結果による高速フーリエ変換開始位置をサイクリックプレフィックス方向に既に定義されたサンプルオフセットの大きさだけ移動させて、高速フーリエ変換を行う高速フーリエ変換開始位置設定装置及びその方法を提供する。【解決手段】高速フーリエ変換開始位置設定装置は、同期獲得の結果による高速フーリエ変換開始位置をサイクリックプレフィックス方向に既に定義されたサンプルオフセットの大きさだけ移動させる開始位置決定部；及び前記開始位置決定部が移動させた高速フーリエ変換開始位置を受信して、高速フーリエ変換を行う高速フーリエ変換部；を含む。【選択図】図４
2010141872.tif 000002
【特許請求の範囲】
【請求項１】
同期獲得の結果による高速フーリエ変換開始位置をサイクリックプレフィックス方向に既に定義されたサンプルオフセットの大きさだけ移動させる開始位置決定部；及び
前記開始位置決定部が移動させた高速フーリエ変換開始位置を受信して、高速フーリエ変換を行う高速フーリエ変換部；を含む、高速フーリエ変換開始位置設定装置。
【請求項２】
前記開始位置決定部は、信号対雑音の比の値を利用して、前記既に定義されたサンプルオフセットの大きさを決定することを特徴とする、請求項１に記載の高速フーリエ変換開始位置設定装置。
【請求項３】
前記開始位置決定部は、既に定義された特定のデシベル（ｄＢ）区間の信号対雑音の比の値を有する複数のサンプルを選定し、前記選定された 複数のサンプルから構成されたサンプル区間を前記既に定義されたサンプルオフセットの大きさとして決定することを特徴とする、請求項２に記載の高速フーリエ変換開始位置設定装置。
【請求項４】
同期獲得の結果による高速フーリエ変換開始位置をサイクリックプレフィックス方向に移動させる既に定義されたサンプルオフセットの大きさを決定する段階；
前記高速フーリエ変換開始位置が決定されると、決定された前記高速フーリエ変換開始位置を前記既に定義されたサンプルオフセットの大きさだけ前記サイクリックプレフィックス方向に移動させる段階；及び
移動した高速フーリエ変換開始位置を起点として高速フーリエ変換を行う段階；を含む、高速フーリエ変換方法。
【請求項５】
前記サンプルオフセットの大きさを決定する段階は、信号対雑音の比の値を利用して、前記既に定義されたサンプルオフセットの大きさを決定することを特徴とする、請求項４に記載の高速フーリエ変換方法。
【請求項６】
既に定義された特定のデシベル（ｄＢ）区間の信号対雑音の比の値を有する複数のサンプルを選定する段階；及び
選定された前記複数のサンプルから構成されたサンプル区間を前記サイクリックプレフィックス区間のサンプルオフセットの大きさとして決定する段階；を含む、請求項５に記載の高速フーリエ変換方法。
【発明の詳細な説明】
【技術分野】
【０００１】
本発明は、高速フーリエ変換開始位置設定装置及びその方法に関する。
【背景技術】
【０００２】
ワイブロ（ＷｉＢｒｏ）システムの下向リンクＰＵＳＣ（Ｐａｒｔｉａｌ Ｕｓａｇｅ Ｓｕｂ Ｃｈａｎｎｅｌ）チャンネルでフレーム同期誤差が発生して、高速フーリエ変換（Ｆａｓｔ Ｆｏｕｒｉｅｒ Ｔｒａｎｓｆｏｒｍ；以下、「ＦＦＴ」とする）の開始時点がサイクリックプレフィックス（Ｃｙｃｌｉｃ Ｐｒｅｆｉｘ；以下、「ＣＰ」とする）区間でないデータ区間に指定されると、多大なる性能の劣化が発生する。
【０００３】
しかし、従来は、これを解決するための方策が全く備えられていなかった。つまり、このようなフレーム同期獲得誤差に備えてＦＦＴ開始時点をＣＰ区間側にいくつのサンプルオフセットを与えるかに対する具体的な方策が備えられていなかった。
【先行技術文献】
【特許文献】
【０００４】
【特許文献１】特開２００１−２６８０４２号公報
【発明の概要】
【発明が解決しようとする課題】
【０００５】
本発明が解決しようとする技術的課題は、フレーム同期獲得誤差を最小化した受信機を実現するための高速フーリエ変換開始位置設定装置及びその方法を提供することにある。
【課題を解決するための手段】
【０００６】
本発明の一実施例によれば、高速フーリエ変換開始位置設定装置が提供される。高速フーリエ変換開始位置設定装置によれば、同期獲得の結果による高速フーリエ変換開始位置をサイクリックプレフィックス方向に既に定義されたサンプルオフセットの大きさだけ移動させる開始位置決定部；及び前記開始位置決定部が移動させた高速フーリエ変換開始位置を受信して、高速フーリエ変換を行う高速フーリエ変換部；を含む。
【０００７】
本発明の他の一実施例によれば、高速フーリエ変換開始位置設定方法が提供される。高速フーリエ変換開始位置設定方法によれば、同期獲得の結果による高速フーリエ変換開始位置をサイクリックプレフィックス方向に移動させる既に定義されたサンプルオフセットの大きさを決定する段階；前記高速フーリエ変換開始位置が決定されると、決定された前記高速フーリエ変換開始位置を前記既に定義されたサンプルオフセットの大きさだけ前記サイクリックプレフィックス方向に移動させる段階；及び移動させた高速フーリエ変換開始位置を起点として高速フーリエ変換を行う段階；を含む。
【発明の効果】
【０００８】
本発明の実施例によれば、受信端のＦＦＴ開始時点に、人為的にＣＰ区間側に適当なオフセットを与えることによって、フレーム同期獲得誤差による強靭な受信機を得ることができる。
【図面の簡単な説明】
【０００９】
【図１】本発明の実施例による高速フーリエ変換開始位置を示した図である。
【図２】本発明の実施例によるＱＰＳＫにおける性能グラフを示した図である。
【図３】本発明の実施例による１６ＱＡＭにおける性能グラフを示した図である。
【図４】本発明の実施例による高速フーリエ変換開始位置の移動を示した図である。
【図５】本発明の実施例による高速フーリエ変換開始位置設定装置の構成を示したブロック図である。
【図６】本発明の実施例による高速フーリエ変換方法を示したフローチャートである。
【発明を実施するための形態】
【００１０】
以下、添付した図面を参照して、本発明の実施例について、本発明が属する技術分野で通常の知識を有する者が容易に実施することができるように詳細に説明する。しかし、本発明は、多様な相異した形態に具現され、ここで説明する実施例に限定されない。そして、図面では、本発明を明確に説明するために、説明に不必要な部分は省略し、明細書全体を通して類似した部分には、類似する図面符号を付けた。
【００１１】
明細書及び請求の範囲全体を通して、ある部分がある構成要素を「含む」と記載する時、これは特に反対の記載がない限り、他の構成要素を除外するのではなく、他の構成要素をさらに含むことを意味する。
【００１２】
それでは、本発明の実施例による高速フーリエ変換開始位置設定装置及びその方法について、図面を参照して詳細に説明する。
【００１３】
図１は本発明の実施例による高速フーリエ変換開始位置を示した図である。
【００１４】
図１に示したように、高速フーリエ変換（Ｆａｓｔ Ｆｏｕｒｉｅｒ Ｔｒａｎｓｆｏｒｍ；以下、「ＦＦＴ」とする）開始時点が常にｄ＝０であれば最も好ましいが、このＦＦＴ開始時点はフレーム同期獲得地点によって変化する。
【００１５】
ワイブロシステムの下向リンク受信部のＰＵＳＣ（Ｐａｒｔｉａｌ Ｕｓａｇｅ Ｓｕｂ Ｃｈａｎｎｅｌ）チャンネルでフレーム同期誤差が発生する時に、簡単なチャンネル推定方法であるＬＳ（Ｌｅａｓｔ Ｓｑｕａｒｅ）方式及び線状補間方式（Ｌｉｎｅａｒ Ｉｎｔｅｒｐｏｌａｔｉｏｎ）でチャンネル推定を行った結果、フレーム同期獲得が不完全で、誤差が発生した時に、正確な同期地点より前に同期を獲得すれば、ＦＦＴ開始時点がサイクリックプレフィックス（Ｃｙｃｌｉｃ Ｐｒｅｆｉｘ；以下、「ＣＰ」とする）区間側に位置する。この後に同期を獲得すれば、ＦＦＴ開始時点がデータ（Ｄａｔａ）区間に位置する。
【００１６】
もし、ＦＦＴ開始時点がデータ区間に位置（ｄ＝＋１〜＋１０）するようになれば、ＩＣＩ（Ｉｎｔｅｒ Ｃａｒｒｉｅｒ Ｉｎｔｅｒｆｅｒｅｎｃｅ）によって性能が非常に劣化する。
【００１７】
反面、ＦＦＴ開始時点がＣＰ区間に位置すれば、理論的には問題がないが、実際のワイブロシステムにおける実現は、速度の問題によってチャンネル推定方法として不完全な方法であるＬＳ（Ｌｅａｓｔ Ｓｑｕａｒｅ）方式を使用しているため、ＦＦＴ時点によって図２及び図３のように差が生じる。
【００１８】
図２は本発明の実施例によるＱＰＳＫにおける性能グラフを示した図面であり、図３は本発明の実施例による１６ＱＡＭにおける性能グラフを示した図である。これらの図における横軸は信号対雑音の比（Ｓｉｇｎａｌ ｔｏ Ｎｏｉｓｅ Ｒａｔｉｏ；以下、「ＳＮＲ」とする）であって、ビットエネルギー（Ｅｂ）及びＮｏ（Ｎｏｉｓｅ）の比の値を示し、縦軸はビット誤差率（Ｂｉｔ Ｅｒｒｏｒ Ｒａｔｉｏｎ）を示す。
【００１９】
まず、図２によれば、ＱＰＳＫ（Ｑｕａｄｒａｔｕｒｅ Ｐｈａｓｅ Ｓｈｉｆｔ Ｋｅｙｉｎｇ）では、ｄ＝−１５サンプルまでは性能の劣化の差が０．２ｄＢ以下で微小である。
【００２０】
また、図３によれば、１６ＱＡＭ（Ｑｕａｄｒａｔｕｒｅ Ａｍｐｌｉｔｕｄｅ Ｍｏｄｕｌａｔｉｏｎ）では、ｄ＝−１０サンプルまでが性能の劣化の差が微小である。
【００２１】
このように、ＣＰ区間側にある程度のオフセットが生じるフレーム同期獲得誤差が発生しても、システムの性能にほとんど影響を与えないことをシミュレーションで確認した。
【００２２】
図４は本発明の実施例による高速フーリエ変換開始位置の移動を示した図である。
【００２３】
図４によれば、ＦＦＴ開始時点を人為的にＣＰ区間側に適当なオフセットを与えることによって、ＦＦＴ開始時点を移動させる。このようにすると、フレーム同期誤差が発生して、ＦＦＴ開始時点がＣＰ区間でないデータ区間に指定される場合に、多大なる性能の劣化が発生するのに備えることができる。
【００２４】
ここで、適当なオフセットの範囲は、図２、図３のシミュレーションの結果に基づいて決定するが、本発明の実施例によれば、ＦＦＴ開始時点から５〜１０サンプル程度のＣＰ区間にオフセットを与えるのが好ましい。
【００２５】
図５は本発明の実施例による高速フーリエ変換開始位置設定装置の構成を示したブロック図である。
【００２６】
図５によれば、高速フーリエ変換開始位置設定装置は、受信部１００、高速フーリエ変換部２００、及び開始位置決定部３００を含む。
【００２７】
受信部１００が信号を受信して伝達すれば、高速フーリエ変換部２００は、開始位置決定部３００が決定した位置でＦＦＴを行う。
【００２８】
開始位置決定部３００は、図４に示したように、ＦＦＴ開始位置を決定する。つまり、同期獲得の結果によるＦＦＴ開始時点から５〜１０サンプル程度のＣＰ区間にオフセットを与えてＦＦＴ開始位置を決定する。したがって、不完全な同期獲得誤差からＦＦＴ開始時点がデータ区間を侵犯するのを防止することができる。
【００２９】
図６は本発明の実施例による高速フーリエ変換方法を示したフローチャートである。
【００３０】
図６によれば、開始位置決定部（図５）３００は、図２、図３の多様なサンプルをシミュレーションした結果に基づいて、ｄ＝０であるサンプル及び０．２〜０．５ｄＢ以内のＳＮＲ差を有するサンプルにサンプルグループを選定する（Ｓ１０１）。
【００３１】
開始位置決定部３００は、Ｓ１０１段階で選定したサンプルグループに基づいて、ＣＰ区間のサンプルオフセットの値、つまり、大きさを設定する（Ｓ１０３）。実施例によれば、ｄ＝５〜１０のサンプルオフセットを与えるのが好ましい。
【００３２】
その後、受信部１００を通じて信号が受信されれば、開始位置決定部３００は、同期獲得の結果によるＦＦＴ開始位置をＳ１０３段階で設定したサンプルオフセットの大きさだけ移動させる（Ｓ１０５）。
【００３３】
高速フーリエ変換部２００は、開始位置決定部３００がＳ１０５段階で決定したＦＦＴ開始位置の伝達を受けて、ＦＦＴを行う（Ｓ１０７）。
【００３４】
本発明の実施例は、前記説明した装置及び／または方法によってのみ具現されるのではなく、本発明の実施例の構成に対応する機能を実現するプログラムまたはそのプログラムが記録された記録媒体によって具現されることもできる。このような具現は、前記説明した実施例の記載から、本発明が属する技術分野の専門家にとって容易である。
【００３５】
以上、本発明の実施例について詳細に説明したが、本発明の権利範囲はこれに限定されず、請求の範囲で定義している本発明の基本概念を利用した当業者による多様な変形及び改良形態も本発明の権利範囲に属する。
【符号の説明】
【００３６】
１００・・・受信部
２００・・・高速フーリエ変換部
３００・・・開始位置決定部
【図１】
2010141872.tif 000003
【図２】
2010141872.tif 000004
【図３】
2010141872.tif 000005
【図４】
2010141872.tif 000006
【図５】
2010141872.tif 000007
【図６】
2010141872.tif 000008